(57)【特許請求の範囲】
【請求項１】
左右のカップ部と、
前記左右のカップ部を連結し、かつ前記左右のカップ部の下方を取り囲む土台部と、
前記土台部に連なる左右の背面部と、
前記左右のカップ部及び前記左右の背面部のそれぞれに接続された左右のストラップ部と、
前記左右の背面部における前記土台部と反対側の端縁に接続され、かつ互いに係合可能な左右の係合部とを備え、
前記左右の背面部は、前記土台部と連なる第１の部分と、前記第１の部分及び前記左右のストラップ部と連なる第２の部分とを含み、
前記第１の部分は相対的に左右方向に伸縮する材料であり、前記第２の部分は相対的に上下方向に伸縮する材料であり、
前記第１の部分と前記第２の部分とは、前記左右の背面部において前記左右の係合部側の前記端縁と上端縁とにかけ渡された境界線で区画され、
前記境界線と前記上端縁との接点は、前記上端縁上で、前記上端縁と前記左右のストラップ部との第１接点と、前記上端縁と前記土台部との第２接点との中間点に存在し、又は、前記第２接点よりも前記第１接点に近い位置に存在し、
前記第１接点から前記左右の背面部の下端縁へ下ろした垂線上において、前記第１接点から前記下端縁までの距離に対する、前記境界線と前記垂線との第３接点から前記第１接点までの距離の比は、１／３以上であることを特徴とする、ブラジャー。
【発明の詳細な説明】
【技術分野】
【０００１】
本発明は、ブラジャーに関する。
【背景技術】
【０００２】
従来より、体型を整えると共に、着用者の動作に対する追従性があるブラジャーが知られている（例えば特許文献１）。
特許文献１に開示のブラジャーは、カップ部の脇側縁部分と背中側フック部との間に下部脇布が配置されると共に、カップ部のアンダー側縁部分と背中側フック部と背中側ストラップ部との間に上部脇布が配置されている。
また、特許文献１には、下部脇布で背中から脇にかけての贅肉をカップ部側に寄せ、上部脇布で背中の贅肉の膨出を抑え、さらに着用者の動作に対して上部脇布がストラップの引張りに柔軟に追従して上下方向に動くことが開示されている。
【先行技術文献】
【特許文献】
【０００３】
【特許文献１】特開２００５−１５４９７２号公報
【発明の概要】
【発明が解決しようとする課題】
【０００４】
しかしながら、上記特許文献１では、上部脇布は背中の膨出を抑えるように構成されているため、上記特許文献１のブラジャーを肉質の比較的柔らかい高齢者等が着用した場合に、ブラジャーのアンダーに段差ができてしまう。
【０００５】
本発明は、上記問題点に鑑み、着用時に動きやすく、かつアンダーの段差を低減できるブラジャーを提供することを課題とする。
【課題を解決するための手段】
【０００６】
本発明のブラジャーは、左右のカップ部と、該左右のカップ部を連結し、かつ該左右のカップ部の下方を取り囲む土台部と、該土台部に連なる左右の背面部と、該左右のカップ部及び該左右の背面部のそれぞれに接続された左右のストラップ部と、該左右の背面部における該土台部と反対側の端縁に接続され、かつ互いに係合可能な左右の係合部とを備え、該左右の背面部は、該土台部と連なる第１の部分と、該第１の部分及び該左右のストラップ部と連なる第２の部分とを含み、該第１の部分は相対的に左右方向に伸縮する材料であり、該第２の部分は相対的に上下方向に伸縮する材料であり、該第１の部分と該第２の部分とは、該左右の背面部において該左右の係合部側の該端縁と上端縁とにかけ渡された境界線で区画され、該境界線と該上端縁との接点は、該上端縁と該左右のストラップ部との接点から該上端縁と該土台部との接点までの長さの半分または半分よりも該左右のストラップ部側に位置し、該左右の背面部の該上端縁と該左右のストラップ部との接点から該左右の背面部の下端縁へ下ろした垂線と、該境界線との交点は、該垂線の長さの１／３または１／３よりも該下端縁側に位置することを特徴とする。
【発明の効果】
【０００７】
本発明のブラジャーによれば、左右の背面部の下端縁を含む第１の部分は相対的に左右方向に伸縮する材料であるので、着用時にアンダーの段差を低減することができる。左右のストラップ部直下に位置する第２の部分は相対的に上下方向に伸縮する材料であるので、着用者の動きに追従可能であるため、着用時に動きやすくなる。左右の背面部において第１の部分と第２の部分との境界を上記のようにすることで、第１の部分でのアンダーの段差を低減する効果と、左右の背面部の第２の部分での動きやすいという効果とを両立することができる。したがって、本発明は、着用時に動きやすく、かつアンダーの段差を低減できるブラジャーを提供することができる。
【図面の簡単な説明】
【０００８】
【図１】本発明の実施の形態におけるブラジャーを概略的に示す平面図である。
【図２】本発明の実施の形態におけるブラジャーの右見頃を概略的に示す平面図である。
【発明を実施するための形態】
【０００９】
以下、図面に基づいて本発明の実施の形態を説明する。なお、以下の図面において同一または相当する部分には同一の参照符号を付し、その説明は繰り返さない。
【００１０】
図１及び図２を参照して、本発明の一実施の形態におけるブラジャーについて説明する。図１及び図２に示すように、本発明の実施の形態におけるブラジャー１０は、土台部１１と、左カップ部１２と、右カップ部１３と、左背面部１４と、右背面部１５と、左ストラップ部１６と、右ストラップ部１７と、左係合部１８と、右係合部１９とを備えている。
【００１１】
土台部１１は、左右カップ部１２、１３を連結している。また、土台部１１は、左右カップ部１２、１３の下方（左右カップ部１２、１３の脇側に位置する円弧状部分の下側の一部）の少なくとも取り囲んでおり、左右カップ部１２、１３の脇側に位置する円弧状部分の上方（左右カップ部１２、１３の脇側に位置する円弧状部分の上側）の少なくとも一部をさらに取り囲んでいてもよく、左右カップ部１２、１３の脇側に位置する円弧状部分のすべてを取り囲んでいてもよい。
【００１２】
左右カップ部１２、１３は、左右の乳房をそれぞれ覆う。なお、左右カップ部１２、１３は、ワイヤを含んでいてもよく、ワイヤを含んでいなくてもよい。
【００１３】
左右背面部１４、１５は、土台部１１の脇側端縁１１ａに連なっている。つまり、左右背面部１４、１５のそれぞれは、土台部１１を介して左右カップ部１２、１３に接続されている。左右背面部１４、１５の外周縁は、土台部１１側の端縁と、上端縁１４ｃ、１５ｃと、下端縁１４ｄ、１５ｄと、左右係合部１８、１９側の端縁１４ｅとで構成されている。
【００１４】
左右ストラップ部１６、１７は、左右カップ部１２、１３及び左右背面部１４、１５のそれぞれに接続されている。左右ストラップ部１６、１７と、左右カップ部１２、１３及び左右背面部１４、１５との接続手段は特に限定されず、縫合されていてもよく、留め具等を介して接続されていてもよい。左右ストラップ部１６、１７は、例えば長さを調節する調節部１６ａ、１７ａを含んでいてもよい。
【００１５】
左右係合部１８、１９は、左右背面部１４、１５における土台部１１と反対側の端縁１４ｅ、１５ｅに接続されている。本実施の形態の左右係合部１８、１９は、左右背面部１４、１５の端縁１４ｅ、１５ｅを含む端部と縫合されている。左右係合部１８、１９は、互いに係合可能であり、背面で左右背面部１４、１５のそれぞれを固定する。左右係合部１８、１９は、例えば、布と、この布に形成された互いに係止可能なフックとを含んでいる。
【００１６】
左右背面部１４、１５のそれぞれは、第１の部分１４ａ、１５ａと、この第１の部分１４ａ、１５ａと連なる第２の部分１４ｂ、１５ｂとを含んでいる。
第１の部分１４ａ、１５ａは、土台部１１の脇側端縁１１ａ及び左右係合部１８、１９の下端１８ｂ、１９ｂと連なっている。第１の部分１４ａ、１５ａは、左右ストラップ部１６、１７と、第２の部分１４ｂ、１５ｂを介して接続され、直接接続されて（連なって）いない。
第２の部分１４ｂ、１５ｂは、左右係合部１８、１９の上端１８ａ、１９ａ及び左右ストラップ部１６、１７と連なっている。第２の部分１４ｂ、１５ｂは、土台部１１と、第１の部分１４ａ、１５ａを介して接続され、直接接続されていない。
第１の部分１４ａ、１５ａと、第２の部分１４ｂ、１５ｂとは、例えば縫合されている。
【００１７】
第１の部分１４ａ、１５ａは、相対的に左右方向（左右背面部１４、１５の下端縁１４ｄ、１５ｄに沿った方向）に伸縮する材料である。つまり、第１の部分１４ａ、１５ａは、左右方向の伸縮率が最も高い材料である。第２の部分１４ｂ、１５ｂは、相対的に上下方向（左右ストラップ部１６、１７の延びる方向）に伸縮する材料である。つまり、第２の部分１４ｂ、１５ｂは、上下方向の伸縮率が最も高い材料である。
第１の部分１４ａ、１５ａ及び第２の部分１４ｂ、１５ｂは、例えば、製造コスト低減の観点から、同じ材料の生地において、相対的に大きく伸縮する方向が交差するように縫合される。このような第１の部分１４ａ、１５ａ及び第２の部分１４ｂ、１５ｂを構成する材料（生地）として、例えばスパンデックスが生地目方向（縦方向）に編まれた布を用いることができる。
なお、第１の部分１４ａ、１５ａを構成する材料と、第２の部分１４ｂ、１５ｂを構成する材料とは異なっていてもよい。
【００１８】
また、第１の部分１４ａ、１５ａのそれぞれは、下端縁１４ｄ、１５ｄに沿って延在する保持部１４ａ１、１５ａ１を有していてもよい。保持部１４ａ１、１５ａ１は、着用時に段差が形成されにくいような加工（例えばヘム加工）がなされており、例えばサテンのパワーネットで構成される。本実施の形態では、第１の部分１４ａ、１５ａにおいて、保持部１４ａ１、１５ａ１は、スパンデックス２本が編み込まれたパワーネットであり、保持部１４ａ１、１５ａ１以外の部分はスパンデックス１本が編み込まれたパワーネットである。
【００１９】
第１の部分１４ａ、１５ａと第２の部分１４ｂ、１５ｂとは、左右背面部１４、１５において左右係合部１８、１９側の端縁１４ｅ、１５ｅと上端縁１４ｃ、１５ｃとにかけ渡された境界線Ｂで区画されている。境界線Ｂは、直線であってもよく、曲線であってもよい（図示せず）。
【００２０】
境界線Ｂと上端縁１４ｃ、１５ｃの接点Ｐ１（図２参照）は、上端縁１４ｃ、１５ｃと左右ストラップ部１６、１７との接点Ｃ１（図２参照）から上端縁１４ｃ、１５ｃと土台部１１との接点Ｃ２（図２参照）までの上端縁１４ｃ、１５ｃに沿った長さの半分または半分よりも左右ストラップ部１６、１７側に位置している。つまり、左右背面部１４、１５の上端縁１４ｃ、１５ｃにおける境界線Ｂは、接点Ｃ１と接点Ｃ２との間であって、接点Ｃ１に相対的に近い位置に存在する。ここで、接点Ｃ１から接点Ｃ２までの長さとは、左右背面部１４、１５の上端縁１４ｃ、１５ｃにおいて、接点Ｃ１から接点Ｃ２まで上端縁１４ｃ、１５ｃに沿って延在する線が曲線の場合には、当該曲線を直線に換算したときの長さを意味する。また、接点Ｃ２は、左右ストラップ部１６における脇側土台部１１の脇側端縁１１ａと、左右背面部１４、１５との接続点を意味する。
【００２１】
左右背面部１４、１５の上端縁１４ｃ、１５ｃと左右ストラップ部１６、１７との接点Ｃ１から左右背面部１４、１５の下端縁１４ｄ、１５ｄへ下ろした垂線Ｖ（図２参照）と、境界線Ｂとの交点Ｐ３は、垂線Ｖの長さＬの１／３または１／３よりも下端縁１４ｄ、１５ｄ側に位置している。つまり、左右背面部１４、１５において、接点Ｃ１から下端縁１４ｄ、１５ｄまでの距離（鉛直方向長さＬ）に対する、接点Ｃ１から境界線Ｂまでの距離（鉛直方向長さＬ２）の比（Ｌ２／Ｌ）は、１／３以上である。
【００２２】
また、境界線Ｂと左右係合部１８、１９との接点Ｐ２は、上端１９ａ及び下端１９ｂを含まず、上端１９ａと下端１９ｂとの間に位置することが好ましい。
【００２３】
第１の部分１４ａ、１５ａと第２の部分１４ｂ、１５ｂとの境界線Ｂは、左右背面部１４、１５の上端縁１４ｃ、１５ｃにおいて、左右ストラップ部１６、１７との接点Ｃ１から土台部１１との接点Ｃ２までの長さの半分よりも左右ストラップ部１６、１７側に位置し、かつ、左右背面部１４、１５の上端縁１４ｃ、１５ｃと左右ストラップ部１６、１７との接点Ｃ１から左右背面部１４、１５の下端縁１４ｄ、１５ｄまでの距離（鉛直方向の長さ）Ｌの半分よりも左右背面部１４、１５の下端縁１４ｄ、１５ｄ側に位置することが好ましい。この場合、左右背面部１４、１５の上端縁１４ｃ、１５ｃの半分以上及び下端縁１４ｄ、１５ｄの全てを左右方向に伸縮しやすい第１の部分で構成できると共に、左右ストラップ部１６、１７直下の半分以上を上下方向に伸縮しやすい第２の部分で構成できる。このため、第１の部分１４ａ、１５ａでのアンダーの段差を低減する効果と、左右背面部１４、１５の第２の部分１４ｂ、１５ｂでの動きやすいという効果とを効果的に発現することができる。
【００２４】
本実施の形態では、第１の部分１４ａ、１５ａと第２の部分１４ｂ、１５ｂとの境界線Ｂは、左右背面部１４、１５の上端縁１４ｃ、１５ｃにおいて左右ストラップ部１６、１７との接点Ｃ１から土台部１１との接点Ｃ２までの長さの半分よりも左右ストラップ部１６、１７側の位置（接点Ｐ１）と、左右背面部１４、１５と左右係合部１８、１９との端縁１４ｅ、１５ｅにおいて、上端１９ａと下端１９ｂとの間の位置（接点Ｐ２）とを結ぶ直線であって、垂線Ｖと境界線Ｂとの交点Ｐ３は、左右背面部１４、１５の上端縁１４ｃ、１５ｃと左右ストラップ部１６、１７との接点Ｃ１から左右背面部１４、１５の下端縁１４ｄ、１５ｄまでの距離（鉛直方向の長さ）Ｌの１／３よりも左右背面部１４、１５の下端縁１４ｄ、１５ｄ側に位置する。この場合、第１の部分１４ａ、１５ａ、第２の部分１４ｂ、１５ｂ、及び左右係合部１８、１９のそれぞれをまとめて縫合できるので、製造コストの観点で有利である。
また、本実施の形態では、左右係合部１８、１９と境界線Ｂとの接点Ｐ２（図２参照）は、第１の部分１４ａ、１５ａの保持部１４ａ１、１５ａ１の上端に位置している。言い換えると、接点Ｐ２には、境界線Ｂの端点及び保持部１４ａ１、１５ａ１の上端の端点とが集まっている。このため、ブラジャー１０は、優れたデザイン性を有している。
【００２５】
以上説明したように、本発明の実施の形態におけるブラジャー１０は、左右カップ部１２、１３と、左右カップ部１２、１３を連結し、かつ左右カップ部１２、１３の下方を取り囲む土台部１１と、土台部１１に連なる左右背面部１４、１５と、左右カップ部１２、１３及び左右背面部１４、１５のそれぞれに接続された左右ストラップ部１６、１７と、左右背面部１４、１５における土台部１１と反対側の端縁１４ｅ、１５ｅに接続され、かつ互いに係合可能な左右係合部１８、１９とを備え、左右背面部１４、１５は、土台部１１と連なる第１の部分１４ａ、１５ａと、第１の部分１４ａ、１５ａ及び左右ストラップ部１６、１７と連なる第２の部分１４ａ、１５ｂとを含み、第１の部分１４ａ、１５ａは相対的に左右方向に伸縮する材料であり、第２の部分１４ｂ、１５ｂは相対的に上下方向に伸縮する材料であり、第１の部分１４ａ、１５ａと第２の部分１４ｂ、１５ｂとは、左右背面部１４、１５において左右係合部１８、１９側の端縁１４ｅ、１５ｅと上端縁１４ｃ、１５ｃとにかけ渡された境界線Ｂで区画され、境界線Ｂと上端縁１４ｃの接点Ｐ１は、上端縁１４ｃ、１５ｃと左右ストラップ部１６、１７との接点Ｃ１から上端縁１４ｃ、１５ｃと土台部１１との接点Ｃ２までの長さの半分または半分よりも左右ストラップ部１６、１７側に位置し、左右背面部１４、１５の上端縁１４ｃ、１５ｃと左右ストラップ部１６、１７との接点Ｃ１から左右背面部１４、１５の下端縁１４ｄ、１５ｄへ下ろした垂線Ｖと、境界線Ｂとの交点Ｐ３は、垂線Ｖの長さの１／３または１／３よりも下端縁１４ｄ、１５ｄ側に位置することを特徴としている。
【００２６】
本発明の実施の形態におけるブラジャー１０によれば、左右背面部１４、１５の下端縁１４ｄ、１５ｄを含む第１の部分１４ａ、１５ａは相対的に左右方向に伸縮する材料であるので、肉質のやわらかい高齢者（例えば６０歳以上の高齢者）がブラジャー１０を着用した場合であっても、アンダーの段差を低減することができる。
また、左右ストラップ部１６、１７直下に位置する第２の部分１４ｂ、１５ｂは相対的に上下方向に伸縮する材料であるので、着用者の肩周りなどの動き（図中上下方向）に追従可能である。このため、左右背面部１４、１５の第２の部分１４ｂ、１５ｂは、肩周りなどの動きになじむので、着用時に動きやすくなる。
左右背面部１４、１５において第１の部分１４ａ、１５ｂと第２の部分１４ｂ、１５ｂとの境界線Ｂを上記のように設定することで、左右背面部１４、１５の第１の部分１４ａ、１５ａでのアンダーの段差を低減する効果と、左右背面部１４、１５の第２の部分１４ｂ、１５ｂでの動きやすいという効果とを両立することができる。したがって、本発明の実施の形態におけるブラジャー１０は、着用時に動きやすく、かつアンダーの段差を低減できる。
【００２７】
今回開示された実施の形態すべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００２８】
１０  ブラジャー、１１  土台部、１１ａ  脇側端縁、１２  左カップ部、１３  右カップ部、１４  左背面部、１４ａ，１５ａ  第１の部分、１４ａ１，１５ａ１  保持部、１４ｂ，１５ｂ  第２の部分、１４ｃ，１５ｃ  上端縁、１４ｄ，１５ｄ  下端縁、１４ｅ，１５ｅ  端縁、１４ｆ，１５ｆ  保護部、１５  右背面部、１６  左ストラップ部、１６ａ，１７ａ  調節部、１７  右ストラップ部、１８  左係合部、１８ａ，１９ａ  上端、１８ｂ，１９ｂ  下端、１９  右係合部、Ｂ  境界線、Ｃ１，Ｃ２，Ｐ１，Ｐ２  接点、Ｐ３  交点、Ｌ，Ｌ２  距離、Ｖ  垂線。
【図１】
0005618423.tif 000002
【図２】
0005618423.tif 000003